(57)【要約】【課題】  機器筐体の実体モデルの上にＵＩソフトウェアの挙動を融合し、開発早期段階に、安価かつ実操作に近い状況下でユーザビリティ評価を行えるようにする。【解決手段】  この発明のＵＩ設計評価装置では、モックアップ１上に設けられている操作ボタン２毎に埋め込まれている識別信号発生素子３１に試験者の各手指に取り付けた識別信号読取り素子１１を接触させ、そのときに識別信号読取り素子が読み出す素子識別信号を取り込み、識別信号発生素子毎の素子識別信号とそれが埋め込まれている操作ボタンとの対応表１２を参照して識別信号発生素子の素子識別信号をボタン識別コードに変換し、このボタン識別コードを該当操作ボタンに対する操作入力としてＵＩソフトウェア２１を実行させ、ＵＩソフトウェアの実行結果を反映させた表示画面を取り込み、モックアップ上の表示部相当部３にそれと同等の大きさで表示画面３ＩＭを投影する。【選択図】      図１
2005275439.tif 000002
【特許請求の範囲】
【請求項１】
モックアップ上に設けられている操作ボタン毎に埋め込まれている識別信号発生素子の１つ又は複数に試験者の各手指に取り付けた識別信号読取り素子で近接又はタッチしたときに当該識別信号読取り素子が読み出す素子識別信号を取り込み、
あらかじめ識別信号発生素子毎の素子識別信号とそれが埋め込まれている操作ボタンとの対応関係に基づいて用意されている対応表を参照して前記識別信号発生素子の素子識別信号をボタン識別コードに変換し、
前記ボタン識別コードを該当操作ボタンに対する操作入力としてＵＩソフトウェアを実行させる指令を出力し、
前記ＵＩソフトウェアの実行結果を反映させた表示画面を取り込み、
前記モックアップ上の表示部相当部に当該表示部相当部と同等の大きさで取得した前記表示画面を投影手段で投影することを特徴とするＵＩ設計評価方法。
【請求項２】
前記識別信号発生素子は、ＲＦＩＤチップであり、前記識別信号読取り素子はＲＦＩＤリーダ・ライタであることを特徴とする請求項１に記載のＵＩ設計評価方法。
【請求項３】
モックアップ上に設けられている操作ボタン毎に埋め込まれた識別信号発生素子と、
試験者の手指に取り付けるための装着部を有し、かつ、識別信号発生素子に近接又はタッチした際に当該識別信号発生素子の発生する固有の素子識別信号を読み取るための識別信号読取り素子と、
前記識別信号発生素子とそれが埋め込まれている操作ボタンとの対応関係に基づいて用意されている識別信号発生素子毎の素子識別信号とボタン識別コードとのコード変換データと、
前記コード変換データを参照して前記識別信号読取り素子が読み出した素子識別信号を、ボタン識別コードに変換するコード変換手段と、
前記ボタン識別コードを該当操作ボタンに対する操作入力としてＵＩソフトウェア実行指令を出力するＵＩソフトウェア実行指令手段と、
前記ＵＩソフトウェアから前記操作入力に対する実行結果を反映させた表示画面を取得する画面情報取得手段と、
前記モックアップ上の表示部相当部分に当該部分と同等の大きさで取得した前記表示画面を投影する画面投影手段とを備えたことを特徴とするＵＩ設計評価装置。
【請求項４】
前記識別信号発生素子は、ＲＦＩＤチップであり、前記識別信号読取り素子はＲＦＩＤリーダ・ライタであることを特徴とする請求項３に記載のＵＩ設計評価装置。
【請求項５】
前記操作ボタンは、前記モックアップに対して貼付・引離し自在な粘着材にて取着したことを特徴とする請求項３又は４に記載のＵＩ設計評価装置。
【発明の詳細な説明】
【技術分野】
【０００１】
本発明は、ＵＩ設計評価方法及び装置に関する。
【背景技術】
【０００２】
近年、ＩＴ機器は多機能化・高機能化しており、機器の開発工程の早期段階でユーザインタフェース（ＵＩ）部のユーザビリティ評価を行う必要性が増大している。このＩＴ機器のＵＩはＵＩソフトウェアと筐体から成るが、これらは同時並行的に開発されるため、いくつかの段階で仮想と実体を組み合わせたモックアップ（試作品）を作成してユーザビリティ評価に用いている。
【０００３】
このユーザビリティ評価には身体的観点からの評価と認知的観点からの評価があり、それぞれ筐体デザイン、ＵＩソフトウェアに依存する。このようなユーザビリティの評価に用いられるものに機能モックアップがある。この機能モックアップは、実際に操作が可能な操作ボタン群や表示が可能な表示部を含めた筐体の内部に回路基板とＵＩソフトウェアは実装したモックアップである。この機能モックアップによって、操作感や操作するユーザの手指が表示部の邪魔をしないかなどの身体的評価と、また実際のボタン操作に対するＵＩソフトウェアの機能確認のような認知的評価との両観点から評価を行うことができる。しかしながら、筐体の金型作成と回路基板作成とにコストがかさむため、この機能モックアップは操作ボタン、表示部などのレイアウトがほぼ決定した開発の最終段階で作成される。そのため、設計の早期の段階で現実の筐体とＵＩソフトウェアとを融合させてユーザビリティを評価することはできなかった。
【非特許文献１】Ｍ．  Ｆｕｋａｙａ、「家電分野でのユーザビリティへの取り組み」、情報処理、Ｖｏｌ．４４、Ｎｏ２，  ２００３、１４５−１５０ページ
【非特許文献２】A. Schmit, H. W. Gellersen, Christian Merz, “Enabling Implicit Human Computer Interaction A Wearable RFID-Tag Reader”, Digest of Papers, Fourth International Symposium on Wearable Computers, 2000, pp 193-4
【特許文献３】R. Want, K. P. Fishkin, A. Gujar, B. L. Harrison, “Bridging Physical and Virtual Worlds with Electronic Tags”, Proc. of the CHI 99, Pittsburg, USA 1999, pp 370-377
【発明の開示】
【発明が解決しようとする課題】
【０００４】
本発明は、このような従来の技術的課題に鑑みてなされたもので、機器筐体の実体モデルの上にＵＩソフトウェアの挙動を融合し、開発早期段階に、安価かつ実操作に近い状況下でユーザビリティ評価を行えるＵＩ設計評価方法及び装置を提供することを目的とする。
【課題を解決するための手段】
【０００５】
請求項１の発明のＵＩ設計評価方法は、モックアップ上に設けられている操作ボタン毎に埋め込まれている識別信号発生素子の１つ又は複数に試験者の各手指に取り付けた識別信号読取り素子で近接又はタッチしたときに当該識別信号読取り素子が読み出す素子識別信号を取り込み、あらかじめ識別信号発生素子毎の素子識別信号とそれが埋め込まれている操作ボタンとの対応関係に基づいて用意されている対応表を参照して前記識別信号発生素子の素子識別信号をボタン識別コードに変換し、前記ボタン識別コードを該当操作ボタンに対する操作入力としてＵＩソフトウェアを実行させる指令を出力し、前記ＵＩソフトウェアの実行結果を反映させた表示画面を取り込み、前記モックアップ上の表示部相当部に当該表示部相当部と同等の大きさで取得した前記表示画面を投影手段で投影することを特徴とするものである。
【０００６】
請求項２の発明は、請求項１のＵＩ設計評価方法において、前記識別信号発生素子は、ＲＦＩＤチップであり、前記識別信号読取り素子はＲＦＩＤリーダ・ライタであることを特徴とするものである。
【０００７】
請求項３の発明のＵＩ設計評価装置は、モックアップ上に設けられている操作ボタン毎に埋め込まれた識別信号発生素子と、試験者の手指に取り付けるための装着部を有し、かつ、識別信号発生素子に近接又はタッチした際に当該識別信号発生素子の発生する固有の素子識別信号を読み取るための識別信号読取り素子と、前記識別信号発生素子とそれが埋め込まれている操作ボタンとの対応関係に基づいて用意されている識別信号発生素子毎の素子識別信号とボタン識別コードとのコード変換データと、前記コード変換データを参照して前記識別信号読取り素子が読み出した素子識別信号を、ボタン識別コードに変換するコード変換手段と、前記ボタン識別コードを該当操作ボタンに対する操作入力としてＵＩソフトウェア実行指令を出力するＵＩソフトウェア実行指令手段と、前記ＵＩソフトウェアから前記操作入力に対する実行結果を反映させた表示画面を取得する画面情報取得手段と、前記モックアップ上の表示部相当部分に当該部分と同等の大きさで取得した前記表示画面を投影する画面投影手段とを備えたことを特徴とするものである。
【０００８】
請求項４の発明は、請求項３のＵＩ設計評価装置において、前記識別信号発生素子は、ＲＦＩＤチップであり、前記識別信号読取り素子はＲＦＩＤリーダ・ライタであることを特徴とするものである。
【０００９】
請求項５の発明は、請求項３又は４のＵＩ設計評価装置において、前記操作ボタンは、前記モックアップに対して貼付・引離し自在な粘着材にて取着したことを特徴とするものである。
【発明の効果】
【００１０】
本発明によれば、機器筐体の実体モデル上にＵＩソフトウェアの挙動を融合し、開発早期段階に、安価かつ実作業に近い状況下でユーザビリティ評価を行える。
【発明を実施するための最良の形態】
【００１１】
以下、本発明の実施の形態を図に基づいて詳説する。図１は本発明の１つの実施の形態のＵＩ設計評価装置のシステム構成を示している。設計対象となる機器筐体のモックアップ１には、操作ボタン２−１〜２−Ｎが着脱可能な状態で取り付けてある。この操作ボタン２−１〜２−Ｎ各々の配置は設計において適当と考えられる位置に設定してある。またモックアップ１のＬＣＤ実装該当部分に、採用予定のＬＣＤサイズと同等の面積で表示部相当部３が形成してある。このモックアップ１の表示部相当部３に採用予定のＬＣＤサイズと等面積に表示画面を投影できる画角に設定したプロジェクタ５が設置してある。
【００１２】
ＵＩ設計評価装置１０は、ＲＦＩＤチップを励起させてそのＩＤコードを読み出すＲＦＩＤリーダ・ライタ１１、モックアップ１の操作ボタン２−１〜２−Ｎ毎にそれらに埋め込んだＲＦＩＤチップのＩＤコードと操作ボタン毎のボタン識別コードとを対照させ、例えば「１」が印刷されている操作ボタンに埋め込まれているＲＦＩＤチップのＩＤコードと「１」の操作ボタンの識別コードとの対応、「ＥＮＴＲ」が印刷されている操作ボタンに埋め込まれているＲＦＩＤチップのＩＤコードとその「ＥＮＴＲ」の操作ボタンの識別コードとの対応を示すコード変換データを保持するコード変換データ保持部１２、ＲＦＩＤリーダ・ライタ１１からのＩＤコードの入力に対してコード変換データ保持部１２のコード変換データを参照して該当操作ボタンの識別コードに変換する操作ボタン識別部１３、操作ボタン識別部１１３の操作ボタン識別結果に対して、該当操作ボタンに対する操作入力をＵＩソフトウェア実行指令として出力するＵＩソフトウェア実行指令部１４、ある操作ボタンの操作入力に対するＵＩソフトウェア側の演算実行結果を反映させた画面表示内容を取得してプロジェクタ５に出力する画面情報取得部１５、ＵＩソフトウェア実行部２０側とのインタフェース（Ｉ／Ｆ）１６を備えている。
【００１３】
ソフトウェア実行部２０は、設計中のＵＩソフトウェア２１とインタフェース（Ｉ／Ｆ）１６から入力されるボタン操作入力に対して当該ＵＩソフトウェア２１を実行し、その結果の画面表示内容をＩ／Ｆ１６を通じてＵＩ設計評価装置１０側に出力するものである。
【００１４】
図２に示したように、モックアップ１の操作部相当部に取り付ける操作ボタン２−１〜２−Ｎは、同一筐体デザインで、様々なボタン形状や配置の評価を容易に行えるよう、筐体本体と別個に形成し、本体に対して着脱可能にしている。そして各操作ボタン２（２−１〜２−Ｎ）に対してその表面にＲＦＩＤチップ３１（３１−１〜３１−Ｎ）それぞれを埋め込んである。モックアップ１は入出力機能を持たないため、試験者のボタン操作等をＵＩ設計評価装置１０側に伝える機能と、ＵＩソフトウェアの出力をモックアップ１の表紙部に表示する機能が必要である。また、各操作ボタン２を着脱可能とするためにモックアップ１は無配線である必要がある。これらの条件を満たすため、本実施の形態では画面出力にＰＣプロジェクタ５を利用し、ボタン操作信号伝達手段としてＲＦＩＤチップ３１を操作ボタン２それぞれに埋め込み、これにＲＦＩＤリーダ・ライタ１１のアンテナ部３２を近接させることで各ＲＦＩＤチップ３１のＩＤコードを読み取り、本実施の形態の装置側でそのＩＤコードを操作ボタンの識別コードに変換し、検証対象のＵＩソフトウェアを実行させるようにしている。
【００１５】
ここで、ＲＦＩＤシステムについて説明する。通常、ＲＦＩＤシステムは、ＲＦＩＤリーダ・ライタ（Ｒ／Ｗ）を用いて無線で微小なサイズのＲＦＩＤチップ（「タグ」とも称することがある。）にデータを読み書きするシステムである。主な特徴として、無電源のタグと非接触通信ができること、非常に小型であること、各タグをそれが発信するＩＤコードによって個別に識別できることが挙げられる。
【００１６】
本発明では、いずれの種類のＲＦＩＤシステムを使用するか限定されるものではないが、本実施の形態では、日立マクセル社製のＣｏｉｌ−Ｏｎ−Ｃｈｉｐ  ＲＦＩＤシステムを採用している。このＲＦＩＤシステムの通信範囲は次の通りである。図３に示すように、２．５ｍｍ角のＲＦＩＤチップ３１を固定し、ＲＦＩＤリーダ・ライタ１１のアンテナ部３２をＸ，Ｙ，Ｚ方向に０．５ｍｍ刻みで平行移動し、通信の可否を調べた。測定結果は図４（Ａ）、図４（Ｂ）に示すグラフのようになった。このグラフより、Ｚ方向最大通信距離は２．０ｍｍであった。なお、Ｙ＝０平面とＸ＝０平面とでは通信可能範囲が異なるのは、アンテナ部が長方形であることが原因である。
【００１７】
本実施の形態では、このような通信特性のＲＦＩＤシステムをＲＦＩＤ埋め込みインタフェースとして採用し、そのＲＦＩＤチップ３１を操作ボタン２に図２に示すようにして埋め込み、また試験者の手指１００の腹に図５に示すようにＲＦＩＤリーダ・ライタ１１のアンテナ部３２を取り付け、このアンテナ部３２の受信した信号からＲＦＩＤリーダ・ライタ１１によってＲＦＩＤチップ３１のＩＤコードを読み出して本実施の形態のＵＩ設計評価装置１０側に出力する仕組みにしている。
【００１８】
このようにＲＦＩＤ埋め込みインタフェースでは、図６に示すように、ＲＦＩＤチップ３１の厚さ１．０ｍｍを考慮し、各操作ボタン２に深さ１．５ｍｍの穴を開けてＲＦＩＤチップ３１それぞれを装着し、各操作ボタン２の表面から１．５ｍｍの通信範囲内へ指に付けたＲＦＩＤアンテナ部３２が進入することをボタン押し下げ操作とみなすこととしている。これにより、試験者の操作指の腹に装着したＲＦＩＤアンテナ部３２が目的の操作ボタン２の表面にほぼ接触するまで近接しなければそのＩＤコードをセンシングすることがなく、したがって他の操作ボタン上のＲＦＩＤチップが同時に感応する恐れはなく、このＲＦＩＤシステムによって操作される操作ボタン２を正確に識別できる。なお、装着型ＲＦＩＤリーダ・ライタ１１の本体は試験者の手首に装着し、ＲＦＩＤアンテナ部３２をその先の操作指の腹に装着する形をとることで、操作感を現実に近づけることができる。またＲＦＩＤアンテナ部３２を柔軟な基板に組込むことで操作指１００の腹とのなじみをいっそう向上させ、操作感の改善が図れる。
【００１９】
次に、上記構成のＵＩ設計評価装置によるＵＩ設計評価方法について説明する。設計段階で考案された製品筐体の実体モデルを作成し、その操作部に種々の操作ボタンを取着する。この操作ボタン２各々には、図２、図６に示したようにＲＦＩＤチップ３１を埋め込んでおく。各操作ボタン２は両面粘着テープ４にてモックアップ１の操作面の該当箇所に取着する。また、操作ボタン２それぞれのＵＩソフトウェア上で使用されるボタン識別コードと操作ボタン上に埋め込まれているＲＦＩＤチップにあらかじめ書き込まれているＩＤコードとを対応データをコード変換データ保持部１２に登録しておく。さらに、ＵＩソフトウェア実行部２０とインタフェース（Ｉ／Ｆ）１６によって本装置１０とを接続する。
【００２０】
なお、本装置１０はコンピュータシステムによって実現されるものであるので、検証対象とするＵＩソフトウェア２１とその実行部２０を同じコンピュータシステム内に組込むことも可能であり、またソフトウェア設計部門と評価部門とが離れている場合、ＬＡＮその他のネットワークによって両者間を接続する構成であってもかまわない。
【００２１】
図５に示すように試験者の操作指１００にＲＦＩＤリーダ・ライタ１１のアンテナ部３２を取着する。そしてこのＲＦＩＤリーダ・ライタ１１からの出力をＵＩ設計評価装置１０の本体となるコンピュータシステムに例えばＵＳＢ、ＲＳ２３２Ｃのようなインタフェースによって接続する。また設計段階のＵＩソフトウェア２１は起動しておき、Ｉ／Ｆ１６によって接続する。
【００２２】
この準備段階が完了すれば、図７のシーケンス図、図８のフローチャートに示すように、ＵＩ部のユーザビリティを評価するために試験者が実際にモックアップ１に取り付けた各操作ボタン２の模擬操作を行う（図７のステップ（ｉ）、図８のフローチャートにおけるステップＳ１）。
【００２３】
これに対して、操作指１００に装着したＲＦＩＤアンテナ部３２が操作対象の操作ボタン２側のＲＦＩＤチップ３１を励起してそれからＩＤ信号を発信させ、その信号を受信する（ステップＳ３）。ＩＤ信号をＲＦＩＤアンテナ部３２が受信すれば、その信号をリーダ・ライタ１１に出力し、リーダ・ライタ１１はＩＤ受信信号からＩＤコードを特定し、そのＩＤコードを操作ボタン識別部１３に出力する（図７のステップ（ｉｉ）、図８のステップＳ５）。
【００２４】
操作ボタン識別部１３では、コード変換データ保持部１２のコード変換データを参照し、受信したＩＤコードに対応する操作ボタンの識別コードを抽出し、これをＵＩソフトウェア実行指令部１４に渡す（図７のステップ（ｉｉｉ）、図８のステップＳ７）。
【００２５】
ＵＩソフトウェア実行指令部１４はこの操作ボタンの識別コードを受けて、該当する操作ボタンが操作されたものとしてＩ／Ｆ１６を通じて該当操作ボタンの操作入力をＵＩソフト実行部２０に出力する（図７のステップ（ｉｖ）、図８のステップＳ９）。ＵＩソフト実行部２０ではこの操作入力によりＵＩソフトウェア２１を実行させる（図７のステップ（ｖ））。ＵＩソフトウェア２１の実行結果として、その遷移後の画面の表示内容を取得し、Ｉ／Ｆ１６を通じてＵＩ設計評価装置１０側に送信する（図７のステップ（ｖｉ）、図８のステップＳ１１）。
【００２６】
ＵＩ設計評価装置１０では、画面情報取得部１５でこの操作結果の画面情報を受信し、その画面の表示内容をプロジェクタ５に出力し（図７のステップ（ｖｉｉ）、図８のステップＳ１３）、プロジェクタ５によってモックアップ１の表示部相当部３に画面内容３ＩＭを投影させる（図７のステップ（ｖｉｉｉ）、図８のステップＳ１５）。
【００２７】
試験者はこの画面内容を実際に観察し、操作ボタンの操作によるＵＩソフトウェアの動作を確認し、ＵＩソフトウェアの適否を評価することになる。
【００２８】
このようにして、本実施の形態のＵＩ設計評価装置によれば、実際の回路が組込まれていないモックアップ１の操作ボタン２に対して試験者が模擬的に操作をすれば、その操作ボタンを特定し、ＵＩソフトウェアを実行させて操作結果の画面内容をモックアップ１の表示部相当部３に投影させて試験者に目視で確認させることができ、ＵＩソフトウェアの検証が可能であり、また模擬操作時に液晶画面と操作ボタンとの干渉を確認することもでき、筐体設計の不都合を確認することもできる。
【００２９】
次に、本発明の第２の実施の形態について、図９を用いて説明する。第１の実施の形態では、モックアップ１の液晶表示部相当部３にプロジェクタ５によって画面内容を投影するだけであった。第２の実施の形態は、図９に示すように、プロジェクタ５によってモックアップ１の操作面の全体像１ＩＭを投影し、かつ表示部相当部３には操作結果の画面内容３ＩＭを重ねて投影することを特徴とする。その他の機能構成は、図１に示した第１の実施の形態と共通である。
【００３０】
この第２の実施の形態のＵＩ設計評価装置によれば、第１の実施の形態と同様に、実際の回路が組込まれていないモックアップ１の操作ボタン２に対して試験者が模擬的に操作をすれば、その操作ボタンを特定し、ＵＩソフトウェアを実行させて操作結果の画面内容をモックアップ１の表示部相当部３に投影させて試験者に目視で確認させることができ、ＵＩソフトウェアの検証が可能であり、また模擬操作時に液晶画面と操作ボタンとの干渉を確認することもでき、筐体設計の不都合を確認することもできる。
【００３１】
次に、本発明の第３の実施の形態について、図１０を用いて説明する。第１の実施の形態では、モックアップ１の表示部相当部３にプロジェクタ５で画面内容を正面側から投影するようにした。第３の実施の形態では、これに代えて、図１０に示すように、モックアップ１Ａとして製品の操作面側半体だけの構造にして透明樹脂によって作成し、あるいは少なくとも表示部相当部だけその背部を抉って薄くした構造にして少なくとも表示部相当部だけは透明樹脂で作成し、その液晶表示部相当部３Ａに背後からプロジェクタ５で画面内容３ＩＭを投影する方式にしている。ただし、表示内容を背後から投影しても正面からは正像に見えるように、プロジェクタ５にはミラー像を投影させる。他の構成要素については、図１に示した第１の実施の形態と共通である。
【００３２】
この実施の形態によれば、試験者が操作ボタンを操作する際にプロジェクタ５の光を手指で遮ることがなく、試験操作がしやすくなる。
【００３３】
なお、第１〜第３の実施の形態では操作ボタン２にＲＦＩＤチップを埋め込み、操作対象の操作ボタンを操作する時に試験者の手指の腹に取着したＲＦＩＤリーダ・ライタ１１のアンテナ部３２で対象チップのＩＤコードを読み取り、これをあらかじめ用意した変換データを参照することで操作対象となった操作ボタンの識別コードを取得し、この識別コードの操作ボタンの操作結果をＵＩソフトウェアでシミュレーションさせ、その結果を表示画面の内容に反映させる構成にしたが、操作ボタンへの近接あるいはタッチにより当該操作ボタンの識別コードを正確に認識できる手段であればＲＦＩＤシステムに限定されない。例えば、各操作ボタン毎の抵抗値が異なるように導電性塗料を塗りつけておき、電気抵抗と操作ボタンとの対応関係をあらかじめ登録しておき、試験者の操作指の腹にはマイクロ化した電極を装着させ、試験者の操作指がタッチした際の電気抵抗を測定し、電気抵抗と操作ボタンとの対応データから操作ボタンを特定し、その操作ボタンに対する操作入力によってＵＩソフトウェアを実行させるようにすることができる。
【００３４】
また、各操作ボタンの表面に磁気的２次元バーコードを取着しておき、試験者の操作指にはそのバーコードリーダを取り付け、模擬的に操作された操作ボタンを２次元バーコードの情報によって特定し、その操作ボタンに対する操作入力によってＵＩソフトウェアを実行させるようにすることができる。
【００３５】
さらに、各操作ボタンの表面に文字を書き込んでおき、試験者の操作指にはその文字を読み取る小型のＣＣＤを取着し、模擬的に操作された操作ボタンに書き込まれている文字をＣＣＤにて読み取り、これを画像解析して操作された操作ボタンを特定し、その操作ボタンに対する操作入力によってＵＩソフトウェアを実行させるようにすることもできる。
【００３６】
加えて、プロジェクタによる表示部への投影の自由度を大きくし、手暗がりが起きないようなシステムとするためには、次のような構成を採用することができる。モックアップを複数本のストリングによって吊し、それらのストリングを滑車に巻き付け、各滑車には回転角度センサを設けておく。一方、プロジェクタからの投影像はミラーによってモックアップの表示部に投影する配置にしておく。そして各滑車の回転角度からモックアップの姿勢を検出し、その姿勢に応じてミラー角度を自動調節してプロジェクタからの映像が常にモックアップの表示部に正確に投影されるようにコントローラで制御する。これによって、技術者がモックアップを手に持って模擬操作しながら表示部の投影像を見るときに自然な感じで操作することができるようになる。
【実施例１】
【００３７】
実施例として、図１１に示すような無線ＬＡＮを利用し、近距離の複数ポイントを結んだ双方向通信を実現する視覚無線通信システムＶＷＣ（Visual Wireless Communicator System）について、モックアップを製作し、操作ボタン（１）〜（１４）の配置について最適な取り付け位置をテストした。本ＶＷＣシステムは、無線ＬＡＮで接続されたカメラ２０１，２０２のチルト(上下)、パン(左右)、ズームが操作ボタンによってリモートコントロールして対象物２０３を撮影して本体２００の表示部に表示させるものである。ＵＩシミュレーションソフトウェアは、操作ボタンの役割としては、プッシュボタン（１）を押せばカメラユニット（１）を選択して接続し、プッシュボタン（２）を押せばカメラユニット（２）を選択して接続する。そしてシーソーボタンであるボタン（６），（７）によって接続されているカメラユニットに対してズーム（望遠）、ズーム（広角）の操作をし、また十字ボタンのうちのボタン（１１）についてはチルト（上）操作、ボタン（１２）についてはチルト（下）、ボタン（１３）についてはパン（左）、ボタン（１４）についてはパン（右）の操作をするというリモートコントロール機能である。
【００３８】
ＶＷＣシステムの筐体モックアップの作成は図１２、図１３の手順によった。図１２（Ａ）に示すように、ＶＷＣ筐体をＣＡＤで設計し、同図（Ｂ）のように操作ボタンは後付するので、操作ボタンを外した筐体だけのモックアップを光造形装置によって作成した。また同図（Ｃ）に示すように、このモックアップの任意の位置に貼り付ける操作ボタン（これには、プッシュボタン、シーソーボタン、十字ボタンが含まれる）を作成した。この操作ボタン各々の製作は図１３によった。つまり、図１３（Ａ）に示すように操作ボタンをＣＡＤで設計し、また同図（Ｂ）に示すようにＲＦＩＤチップ埋め込み穴を穿った操作ボタンもＣＡＤで設計した。この後、同図（Ｃ）に示すように、このＣＡＤデータを用いて光造形装置で穴あきボタンを作成し、同図（Ｄ）に示すように作成した穴あきボタンにＲＦＩＤチップを埋め込み、裏面には両面粘着テープを取り付けた。
【００３９】
こうして作成した筐体モックアップの所定の位置にＲＦＩＤチップ埋め込みボタンを貼り付けた状態を図１２（Ｄ）に示す。
【００４０】
次に、本実施の形態のＶＷＣシステムの操作性評価試験方法について説明する。図１４（Ａ）に示すように、上述した手順で操作ボタンなしの筐体モックアップを作成した。また図１４（Ｂ）に示すように、ＣＡＤにて筐体の操作面の画像を作成する。そして同図（Ｃ）に示すように、プロジェクタによってＣＡＤによる筐体の操作面の画像を筐体モックアップの操作面に投影し、この状態で同図（Ｄ）に示すようにＲＦＩＤチップ埋め込み操作ボタンを該当する操作ボタンそれぞれの投影像の位置に貼り付ける。この状態で、図１４（Ｅ）に示すように実際に操作ボタンそれぞれを操作することによってＵＩシミュレーションソフトウェアを実行させ、その結果をモックアップの表示部相当部に投影させる。
【００４１】
このＵＩシミュレーションソフトウェアは図１５のフローチャートに示すものであり、ある操作ボタンを操作したときにそのＲＦＩＤチップのＩＤを読み取り（ステップＳ２１）、ＲＦＩＤで０１であればズーム画面を表示する（ステップＳ２３，Ｓ２５）。ステップＳ１で読み取ったＩＤが０２であれば、パン画面を表示する（ステップＳ２７，Ｓ２９）。そしてステップＳ１で読み取ったＩＤが０３であれば、チルト画面を表示する（ステップＳ３１，Ｓ３３）。
【００４２】
以上の簡単な操作のシミュレーション操作を図１６の表のボタン配置の欄に示したように３種類異なったボタン配置に対して、５人の被験者の主観評価と上のフローチャートの操作に対する操作速度の計測によって操作性の評価テストを実施した。主観評価は被験者の主観により操作性が良いものから順に１位、２位、３位をつけさせ、１位：２ポイント、２位：１ポイント、３位：０ポイントとして５人の被験者の合計ポイントを求めたものである。
【００４３】
評価結果の項目別順位は、操作時間については、２番目の配置と３番目の配置とはほぼ同じで、１番目の配置よりも操作性が良好であるという結果を得た。他方、主観評価では、３番目の配置が最も操作性が良好で、２番目、１番目となる順位であった。これから、モックアップ段階で、ＵＩシミュレーションソフトウェアを用いて操作ボタンの配置について、最良のボタン配置は３番目のものであると結論できることになった。
【００４４】
こうして、本実施例により、仮想・実体融合型デザインモックアップを利用したボタン配置操作性評価が可能であることが確認できた。
【図面の簡単な説明】
【００４５】
【図１】本発明の第１の実施の形態のＵＩ設計評価装置のシステム構成図。
【図２】上記実施の形態における操作ボタンの断面図。
【図３】上記実施の形態で採用するＲＦＩＤリーダ・ライタの通信特性試験の説明図。
【図４】上記実施の形態で採用するＲＦＩＤリーダ・ライタの通信特性のグラフ。
【図５】上記実施の形態で採用するＲＦＩＤリーダ・ライタのアンテナ部分の装着状態の写真。
【図６】上記実施の形態で採用するＲＦＩＤチップの感応範囲を示す断面図。
【図７】上記実施の形態のＵＩ設計評価装置による設計評価試験の説明図。
【図８】上記実施の形態のＵＩ設計評価装置による設計評価試験のフローチャート。
【図９】本発明の第２の実施の形態のＵＩ設計評価装置におけるプロジェクタのモックアップに対する投影動作を示す分解斜視図。
【図１０】本発明の第３の実施の形態のＵＩ設計評価装置のシステム構成図。
【図１１】本発明の実施例のＶＷＣシステムのブロック図。
【図１２】上記実施例のＶＷＣシステムのモックアップ作りの手順を示すブロック図。
【図１３】上記実施例のＶＷＣシステムのＵＩ設計評価方法において、ＲＦＩＤチップ埋め込み操作ボタンの作成手順を示す説明図。
【図１４】上記実施例のＶＷＣシステムのＵＩ設計評価方法の手順を示すブロック図。
【図１５】上記実施例による操作性試験のために用いたＵＩシミュレーションソフトウェアのフローチャート。
【図１６】上記実施例によるボタン配置と操作性の評価結果の表。
【符号の説明】
【００４６】
１，１Ａ  モックアップ
１ＩＭ  モックアップ操作面像
３，３Ａ  表示部相当部
３ＩＭ  表示内容像
４  両面粘着材
５  プロジェクタ
１０  ＵＩ設計評価装置
１１  ＲＦＩＤリーダ・ライタ
１２  コード変換データ保持部
１３  操作ボタン識別部
１４  ＵＩソフトウェア実行指令部
１５  画面情報取得部
１６  インタフェース
２１  ＵＩソフトウェア
２２  ＵＩソフトウェア実行部
３１  ＲＦＩＤチップ
３２  ＲＦＩＤアンテナ部
【図３】
2005275439.tif 000003
【図４】
2005275439.tif 000004
【図８】
2005275439.tif 000005
【図１５】
2005275439.tif 000006
【図１】
2005275439.tif 000007
【図２】
2005275439.tif 000008
【図５】
2005275439.tif 000009
【図６】
2005275439.tif 000010
【図７】
2005275439.tif 000011
【図９】
2005275439.tif 000012
【図１０】
2005275439.tif 000013
【図１１】
2005275439.tif 000014
【図１２】
2005275439.tif 000015
【図１３】
2005275439.tif 000016
【図１４】
2005275439.tif 000017
【図１６】
2005275439.tif 000018